(57)【要約】  複数の端末に対するグループ分けを示すグループ情報を記憶する記憶部（２１０）と、上記複数の端末の各々に対応付けられ、対応付けられた端末の利用者を撮影して、画像データを生成する複数の撮影部（２４０）と、上記複数の端末のうち、上記グループ情報が示す同一グループに含まれる端末に対応付けられた撮影部（２４０）によって生成された画像データに基づいて、上記同一グループに含まれる端末を、第１グループと第２グループとに分類する分類部（２２０）と、第１グループに分類された第１種端末が、第２グループに分類された第２種端末に対して制御が可能となるように、第１種端末と第２種端末とに係る設定を行う設定部（２３０）とを備える。
2018146784.tif 000002
【特許請求の範囲】
【請求項１】
複数の端末に対するグループ分けを示すグループ情報を記憶する記憶部と、
前記複数の端末の各々に対応付けられ、対応付けられた端末の利用者を撮影して、画像データを生成する複数の撮影部と、
前記複数の端末のうち、前記グループ情報が示す同一グループに含まれる前記端末に対応付けられた前記撮影部によって生成された画像データに基づいて、前記同一グループに含まれる前記端末を、第１グループと第２グループとに分類する分類部と、
前記第１グループに分類された第１種端末が、前記第２グループに分類された第２種端末に対して制御が可能となるように、当該第１種端末と当該第２種端末とに係る設定を行う設定部とを備える
端末制御システム。
【請求項２】
前記分類部は、前記分類において、分類対象とする分類対象端末のそれぞれについて、当該分類対象端末に対応付けられた前記撮影部によって撮影された画像データに基づいて当該分類対象端末の利用者の年齢を推定し、当該年齢が所定の範囲内であれば、当該分類対象端末を前記第１グループに分類し、当該年齢が前記所定の範囲内でなければ、当該分類対象端末を前記第２グループに分類する
請求項１に記載の端末制御システム。
【請求項３】
前記設定部は、前記第１種端末のそれぞれが、自端末の利用者に対して、自端末が前記第１種端末である旨を通知するように、前記設定を行う
請求項１又は２に記載の端末制御システム。
【請求項４】
前記設定部は、前記第１種端末の利用者が、前記第１種端末を用いて、前記第２種端末の有する機能のうちの少なくとも一部の機能をリモート操作することが可能となるように前記設定を行う
請求項１〜３のいずれか１項に記載の端末制御システム。
【請求項５】
前記設定部は、前記第１種端末の利用者が、前記第１種端末を用いて、前記第２種端末の有する機能のうちの少なくとも一部の機能を制限することが可能となるように前記設定を行う
請求項１〜４のいずれか１項に記載の端末制御システム。
【請求項６】
前記複数の端末のそれぞれは、輸送機器に配置された複数の座席のそれぞれに対応付けられて、当該輸送機器の内部に配置されている
請求項１〜５のいずれか１項に記載の端末制御システム。
【請求項７】
記憶部と、複数の端末の各々に対応付けられた複数の撮影部と、分類部と、設定部とを備える端末制御システムが行う端末制御方法であって、
前記記憶部が、前記複数の端末に対するグループ分けを示すグループ情報を記憶するステップと、
前記複数の撮影部の各々が、対応付けられた端末の利用者を撮影して、画像データを生成するステップと、
前記分類部が、前記複数の端末のうち、前記グループ情報が示す同一グループに含まれる前記端末に対応付けられた前記撮影部によって生成された画像データに基づいて、前記同一グループに含まれる前記端末を、第１グループと第２グループとに分類するステップと、
前記設定部が、前記第１グループに分類された第１種端末が、前記第２グループに分類された第２種端末に対して制御が可能となるように、当該第１種端末と当該第２種端末とに係る設定を行うステップとを含む
端末制御方法。
【発明の詳細な説明】
【技術分野】
【０００１】
本開示は、端末を制御する端末制御システム、及び端末制御方法に関する。
【背景技術】
【０００２】
従来、端末を利用するシステムが知られている（例えば、特許文献１参照）。
【先行技術文献】
【特許文献】
【０００３】
【特許文献１】特開２００９−２８６３４３号公報
【発明の概要】
【発明が解決しようとする課題】
【０００４】
複数の端末を利用するシステムにおいて、それら端末を、それら端末の利用者の特徴に応じて区別して制御することが望まれる。【０００５】
そこで、本開示は、複数の端末を利用するシステムにおいて、それら端末を、それら端末の利用者の特徴に応じて分類することが可能となる端末制御システム、及び端末制御方法を提供することを目的とする。
【課題を解決するための手段】
【０００６】
本開示の一態様に係る端末制御システムは、複数の端末に対するグループ分けを示すグループ情報を記憶する記憶部と、前記複数の端末の各々に対応付けられ、対応付けられた端末の利用者を撮影して、画像データを生成する複数の撮影部と、前記複数の端末のうち、前記グループ情報が示す同一グループに含まれる前記端末に対応付けられた前記撮影部によって生成された画像データに基づいて、前記同一グループに含まれる前記端末を、第１グループと第２グループとに分類する分類部と、前記第１グループに分類された第１種端末が、前記第２グループに分類された第２種端末に対して制御が可能となるように、当該第１種端末と当該第２種端末とに係る設定を行う設定部とを備える。【０００７】
本開示の一態様に係る端末制御方法は、記憶部と、複数の端末の各々に対応付けられた複数の撮影部と、分類部と、設定部とを備える端末制御システムが行う端末制御方法であって、前記記憶部が、前記複数の端末に対するグループ分けを示すグループ情報を記憶するステップと、前記複数の撮影部の各々が、対応付けられた端末の利用者を撮影して、画像データを生成するステップと、前記分類部が、前記複数の端末のうち、前記グループ情報が示す同一グループに含まれる前記端末に対応付けられた前記部によって生成された画像データに基づいて、前記同一グループに含まれる前記端末を、第１グループと第２グループとに分類するステップと、前記設定部が、前記第１グループに分類された第１種端末が、前記第２グループに分類された第２種端末に対して制御が可能となるように、当該第１種端末と当該第２種端末とに係る設定を行うステップとを含む。
【発明の効果】
【０００８】
上記端末制御システム、及び端末制御方法によると、複数の端末を利用するシステムにおいて、それら端末を、それら端末の利用者の特徴に応じて分類することが可能となる。
【図面の簡単な説明】
【０００９】
【図１】図１は、実施の形態に係る航空機内に設けられた機内モニタの配置を示す斜視図である。
【図２】図２は、実施の形態に係る機内システムの構成、及び機内システムと通信する航空会社の管理システムを示すブロック図である。
【図３】図３は、実施の形態に係るサーバ装置の構成を示すブロック図である。
【図４】図４は、実施の形態に係る機内モニタの構成を示すブロック図である。
【図５】図５は、実施の形態に係る機内システムによって実現される機能の構成を示すブロック図である。
【図６】図６は、実施の形態に係る機内システムの動作を示すフローチャートである。
【図７】図７は、実施の形態に係る機内システムの動作を示すシーケンス図である。
【図８】図８は、実施の形態に係る管理者メニューの模式図である。
【図９】図９は、実施の形態に係る第１管理情報のデータ構成図である。
【図１０】図１０は、実施の形態に係る判定メッセージのデータ構成図である。
【図１１】図１１は、実施の形態に係るロック制御メッセージのデータ構成図である。
【発明を実施するための形態】
【００１０】
実施の形態の一態様に係る端末制御システムは、複数の端末に対するグループ分けを示すグループ情報を記憶する記憶部と、前記複数の端末の各々に対応付けられ、対応付けられた端末の利用者を撮影して、画像データを生成する複数の撮影部と、前記複数の端末のうち、前記グループ情報が示す同一グループに含まれる前記端末に対応付けられた前記撮影部によって生成された画像データに基づいて、前記同一グループに含まれる前記端末を、第１グループと第２グループとに分類する分類部と、前記第１グループに分類された第１種端末が、前記第２グループに分類された第２種端末に対して制御が可能となるように、当該第１種端末と当該第２種端末とに係る設定を行う設定部とを備える。
【００１１】
上記構成の端末制御システムによると、複数の端末を利用するシステムにおいて、それら端末を、それら端末の利用者の特徴に応じて分類することが可能となる。
【００１２】
また、前記分類部は、前記分類において、分類対象とする分類対象端末のそれぞれについて、当該分類対象端末に対応付けられた前記撮影部によって撮影された画像データに基づいて当該分類対象端末の利用者の年齢を推定し、当該年齢が所定の範囲内であれば、当該分類対象端末を前記第１グループに分類し、当該年齢が前記所定の範囲内でなければ、当該分類対象端末を前記第２グループに分類するとしてもよい。
【００１３】
これにより、推定される端末利用者の年齢に応じて、端末を分類することができるようになる。
【００１４】
また、前記設定部は、前記第１種端末のそれぞれが、自端末の利用者に対して、自端末が前記第１種端末である旨を通知するように、前記設定を行うとしてもよい。
【００１５】
これにより、第１種端末に分類された端末の利用者は、自分の利用する端末が、第１種端末に分類された端末であることを認識することができるようになる。
【００１６】
また、前記設定部は、前記第１種端末の利用者が、前記第１種端末を用いて、前記第２種端末の有する機能のうちの少なくとも一部の機能をリモート操作することが可能となるように前記設定を行うとしてもよい。
【００１７】
これにより、第１種端末の利用者が、第２種端末から離れた場所に居ながらにして、その第２種端末を操作することができるようになる。
【００１８】
また、前記設定部は、前記第１種端末の利用者が、前記第１種端末を用いて、前記第２種端末の有する機能のうちの少なくとも一部の機能を制限することが可能となるように前記設定を行うとしてもよい。
【００１９】
これにより、第１種端末の利用者が、第２種端末の利用者に対して、その第２種端末を用いて実現する処理の実行を制限させることができるようになる。
【００２０】
また、前記複数の端末のそれぞれは、輸送機器に配置された複数の座席のそれぞれに対応付けられて、当該輸送機器の内部に配置されているとしてもよい。
【００２１】
これにより、輸送機器の乗客を端末の利用者とするシステムで運用することができるようになる。
【００２２】
実施の形態の一態様に係る端末制御方法は、記憶部と、複数の端末の各々に対応付けられた複数の撮影部と、分類部と、設定部とを備える端末制御システムが行う端末制御方法であって、前記記憶部が、前記複数の端末に対するグループ分けを示すグループ情報を記憶するステップと、前記複数の撮影部の各々が、対応付けられた端末の利用者を撮影して、画像データを生成するステップと、前記分類部が、前記複数の端末のうち、前記グループ情報が示す同一グループに含まれる前記端末に対応付けられた前記部によって生成された画像データに基づいて、前記同一グループに含まれる前記端末を、第１グループと第２グループとに分類するステップと、前記設定部が、前記第１グループに分類された第１種端末が、前記第２グループに分類された第２種端末に対して制御が可能となるように、当該第１種端末と当該第２種端末とに係る設定を行うステップとを含む。
【００２３】
上記構成の端末制御方法によると、複数の端末を利用するシステムにおいて、それら端末を、それら端末の利用者の特徴に応じて分類することが可能となる。
【００２４】
なお、これらの包括的または具体的な態様は、システム、方法、集積回路、コンピュータプログラムまたはコンピュータ読み取り可能なＣＤ−ＲＯＭなどの記録媒体で実現されても良く、システム、方法、集積回路、コンピュータプログラムまたは記録媒体の任意な組み合わせで実現されても良い。
【００２５】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２６】
なお、添付図面および以下の説明は、当業者が本開示を十分に理解するために、提供されるのであって、これらにより請求の範囲に記載の主題を限定することは意図されていない。
【００２７】
（実施の形態）
以下、図１〜図１１を用いて、実施の形態を説明する。
【００２８】
［１−１  構成］
本実施の形態において、本開示に係る端末制御システムは、航空機内に設けられた機内システムとして実現される。
【００２９】
以下、図１〜図５を用いて、この機内システムの構成について説明する。
【００３０】
図１は、実施の形態における航空機内に設けられた機内モニタ２００Ａ〜２００Ｆの配置を示す図である。航空機内には、乗客が着座するための複数の座席４００Ａ〜４００Ｆが設けられている。座席４００Ａ〜４００Ｆを総称して座席４００とする場合がある。座席４００Ａ〜４００Ｆの背もたれの背面側の所定位置には、機内モニタ２００Ａ〜２００Ｆがそれぞれ設けられる。機内モニタ２００Ａ〜２００Ｆの各々は同じ構成を備えている。機内モニタ２００Ａ〜２００Ｆを総称して機内モニタ２００とする場合がある。
【００３１】
図１に示すように、機内モニタ２００は、各座席４００に対応して配置される。より具体的には、機内モニタ２００は、座席４００に着座する乗客と対向する位置に、乗客から視認可能なように設置される。乗客は、座席４００に着座した状態で、前の座席４００に設けられた機内モニタ２００のタッチパネル（後述）を操作し、また、機内モニタ２００に表示される映像を鑑賞することで、各種の機内サービスを受けることが可能である。なお、航空機は、輸送機器の一例である。
【００３２】
図２は、機内システム１の構成、及び機内システム１と通信する航空会社の管理システム１０を示す図である。
【００３３】
同図に示されるように、機内システム１は、サーバ装置１００と、機内モニタ２００Ａ〜２００Ｆとを備える。
【００３４】
航空会社の管理システム１０は、サーバ装置１００と無線ネットワークで接続される。
【００３５】
サーバ装置１００は、機内モニタ２００とネットワークケーブルで接続され、機内モニタ２００へのコンテンツの配信や、機内モニタ２００の通信接続状況の取得など、機内モニタ２００との間で双方向の通信を行う。機内モニタ２００の通信接続状況などの情報は、サーバ装置１００で一括管理される。
【００３６】
機内モニタ２００は、サーバ装置１００から配信されたコンテンツの再生が可能である。機内モニタ２００Ａ〜２００Ｆは、各々タッチパネル２０４Ａ〜２０４Ｆと、カメラモジュール２０５Ａ〜２０５Ｆとを備える。タッチパネル２０４Ａ〜２０４Ｆを総称してタッチパネル２０４とする場合がある。カメラモジュール２０５Ａ〜２０５Ｆを総称してカメラモジュール２０５とする場合がある。
【００３７】
本実施の形態では、サーバ装置１００に６台の機内モニタ２００が接続される構成を例に挙げて説明するが、機内モニタ２００の台数はこれに限らず何台でもよい。
【００３８】
カメラモジュール２０５は、着座する乗客と対向する、乗客の顔を正面から撮影できる位置に設置される。
【００３９】
図３は、サーバ装置１００の構成を示すブロック図である。サーバ装置１００は、ネットワークインターフェース（Ｉ／Ｆ）１０１と、ＣＰＵ１０２と、メモリ１０３と、データストレージ１０４とを備える。
【００４０】
ネットワークインターフェース１０１は、ＣＰＵ１０２が、機内モニタ２００とネットワークケーブルを介して通信するためのインターフェースである。
【００４１】
ＣＰＵ１０２は、メモリ１０３に格納されたプログラムを実行し、各種演算や情報処理を行う。ＣＰＵ１０２は、メモリ１０３やデータストレージ１０４に対して読み出しと書き込みとが可能である。また、ＣＰＵ１０２は、ネットワークインターフェース１０１を介して機内モニタ２００との通信を行う。ＣＰＵ１０２は、機内モニタ２００から送られる推定年齢パラメータを受信し、後述するシーケンスに従って各機内モニタ２００に対して機能の制御命令を発する。
【００４２】
メモリ１０３は、ＣＰＵ１０２が実行するプログラムや、ＣＰＵ１０２の演算結果を格納する。メモリ１０３は、例えば、フラッシュメモリやＲＡＭで構成される。
【００４３】
データストレージ１０４は、機内モニタ２００に配信するためのコンテンツ、各座席の第一管理情報（後述）、第二管理情報（後述）を格納している。各座席４００には座席番号が割り当てられている。サーバ装置１００は、各座席４００に対応する機内モニタ２００と、座席番号との対応付けに関する情報を保持している。データストレージ１０４は、ハードディスクやフラッシュメモリ等で構成される。データストレージ１０４は、記憶装置の一例である。
【００４４】
第１管理情報は、機内モニタ２００のグループ分けに関する情報と、機内モニタ２００を親機と子機とに分類する情報と、親機から子機を制御可能にするための情報とを含む。
【００４５】
第２管理情報とは、機内モニタ２００が親機である場合において子機をリモート操作するときに必要となる、リモートする側の機内モニタ２００とリモートされる側の機内モニタ２００との対応関係を示す対応リストである。
【００４６】
図４は、機内モニタ２００の構成を示すブロック図である。機内モニタ２００は、ネットワークインターフェース（Ｉ／Ｆ）２０１と、ＣＰＵ２０２と、メモリ２０３と、タッチパネル２０４と、カメラモジュール２０５と、ディスプレイ２０６とリモコン２０７とを備える。
【００４７】
ネットワークインターフェース２０１と、ＣＰＵ２０２と、メモリ２０３とは、それぞれ、サーバ装置１００が備えているネットワークインターフェース１０１と、ＣＰＵ１０２と、メモリ１０３と同様のハードウェアである。
【００４８】
ネットワークインターフェース２０１は、ＣＰＵ２０２が、サーバ装置１００とネットワークケーブルを介して通信するためのインターフェースである。
【００４９】
ＣＰＵ２０２は、メモリ２０３に格納されたプログラムを実行し、各種演算や情報処理を行い、メモリ２０３に対して読み出しと書き込みとが可能である。また、ＣＰＵ２０２は、ネットワークインターフェース２０１を介してサーバ装置１００との通信を行う。メモリ２０３は、ＣＰＵ２０２が実行するプログラムや、ＣＰＵ２０２の演算結果を格納する。
【００５０】
タッチパネル２０４は、ディスプレイ２０６の表面に配置される。乗客がディスプレイ２０６上の表示に触れると、タッチパネル２０４が触れた位置を示す情報をＣＰＵ２０２に伝送する。ＣＰＵ２０２がこの情報に応じて制御を行うことで、乗客は直感的な操作が可能である。
【００５１】
カメラモジュール２０５は、対向する乗客の顔を正面から撮影して、撮影した画像データをメモリ２０３に格納する。
【００５２】
ディスプレイ２０６はＣＰＵ２０２からの命令に従い、各種コンテンツを表示する。
【００５３】
リモコン２０７は、ＣＡ（Cabin Attendant）を呼ぶためのＣＡコールスイッチ、読書灯の点灯状態を切り替えるための読書灯スイッチなどの各種スイッチ類を備え、これらスイッチ類のオン／オフの情報をＣＰＵ２０２に伝送する。
【００５４】
機内システム１は、サーバ装置１００において、ＣＰＵ１０２がメモリ１０３に格納されたプログラムを実行し、機内モニタ２００において、ＣＰＵ２０２がメモリ２０３に格納されたプログラムを実行することで、様々な機能を実現する。
【００５５】
図５は、機内システム１によって実現される機能の構成を示すブロック図である。
【００５６】
同図に示されるように、機内システム１は、記憶部２１０と、分類部２２０と、設定部２３０と、複数の撮影部２４０（撮影部２４０Ａ〜２４０Ｆ）といった機能ブロックを実現する。
【００５７】
記憶部２１０は、一例として、ＣＰＵ１０２が、メモリ１０３に記憶されるプログラムを実行して、ＣＰＵ１０２とメモリ１０３との動作を制御することで実現される。
【００５８】
分類部２２０は、一例として、ＣＰＵ１０２が、メモリ１０３に記憶されるプログラムを実行して、ＣＰＵ１０２とメモリ１０３との動作を制御することで実現される。
【００５９】
設定部２３０は、一例として、ＣＰＵ１０２が、メモリ１０３に記憶されるプログラムを実行して、ＣＰＵ１０２とメモリ１０３との動作を制御することで実現される。
【００６０】
撮影部２４０は、一例として、ＣＰＵ２０２が、メモリ２０３に記憶されるプログラムを実行して、ＣＰＵ２０２と、メモリ２０３と、カメラモジュール２０５との動作を制御することで実現される。
【００６１】
記憶部２１０は、複数の端末（この例では、機内モニタ２００）に対するグループ分けを示すグループ情報（この例では、後述する搭乗者管理情報）を記憶する。
【００６２】
撮影部２４０は、複数の端末（この例では、機内モニタ２００）の各々に対応付けられ、対応付けられた端末（この例では、機内モニタ２００）の利用者を撮影して、画像データを生成する。
【００６３】
分類部２２０は、複数の端末（この例では、機内モニタ２００）のうち、グループ情報が示す同一グループに含まれる端末（この例では、機内モニタ２００）に対応付けられた撮影部２４０によって生成された画像データに基づいて、その同一グループに含まれる端末（この例では、機内モニタ２００）を、第１グループ（この例では、後述する親機グループ）と第２グループ（この例では、後述する子機グループ）とに分類する。
【００６４】
設定部２３０は、第１グループ（この例では、親機グループ）に分類された第１種端末（この例では、機内モニタ２００）が、第２グループ（この例では、子機グループ）に分類された第２種端末（この例では、機内モニタ２００）に対して制御が可能となるように、第１種端末と第２種端末とに係る設定を行う。
【００６５】
［１−２  動作］
以上のように構成された機内システム１について、その動作を以下で説明する。
【００６６】
図６は、機内システム１の動作を説明するためのフローチャートである。
【００６７】
図７は、機内システム１の動作を説明するためのシーケンス図である。
【００６８】
機内システム１は、機内システム１の起動時に、航空会社の管理システム１０から、搭乗者管理情報を取得して記憶する。そして、記憶する搭乗者管理情報をもとに、サーバ装置１００で機内モニタ２００のグルーピングを実施する。サーバ装置１００は、機内モニタ２００から定期的に送信される推定年齢パラメータ情報をもとに親機／子機を判定し、判定メッセージを機内モニタに送信する。機内モニタ２００は、サーバ装置１００からの判定メッセージを受信し、判定メッセージに対応した動作を行う。
【００６９】
図８は、親機と判定された機内モニタ２００において表示可能となる管理者メニューの一例である管理者メニュー８００を示す模式図である。
【００７０】
同図に示されるように、管理者メニュー８００は、子機リスト８０１と、リモート８０２と、画面操作ロック８０３と、ＣＡコールロック８０４と、ＣＡコール実行８０５と、読書灯スイッチロック８０６と、読書灯スイッチ実行８０７とが対応付けられた表となっている。
【００７１】
子機リスト８０１は、自機と同じグループに分類された機内モニタ２００のうち、子機と判定された（すなわち、親機と判定されなかった）機内モニタ２００に対応する座席の座席番号である。
【００７２】
リモート８０２は、対応する子機リスト８０１で特定される機内モニタ２００のリモート操作を開始するためのボタンである。
【００７３】
画面操作ロック８０３は、対応する子機リスト８０１で特定される機内モニタ２００の画面操作をロックするためのボタンである。ここで、機内モニタ２００の画面操作をロックするとは、対象となる機内モニタ２００において、自モニタからの画面操作を不可状態とすることを言う。
【００７４】
ＣＡコールロック８０４は、対応する子機リスト８０１で特定される機内モニタ２００のＣＡコール操作をロックするためのボタンである。ここで、機内モニタ２００のＣＡコール操作をロックするとは、対象となる機内モニタ２００において、自モニタからのＣＡコール操作を不可状態とすることを言う。
【００７５】
ＣＡコール実行８０５は、対応する子機リスト８０１で特定される機内モニタ２００のＣＡコールを実行するためのボタンである。
【００７６】
読書灯スイッチロック８０６は、対応する子機リスト８０１で特定される機内モニタ２００の読書灯スイッチ操作をロックするためのボタンである。ここで、機内モニタ２００の読書灯スイッチ操作をロックするとは、対象となる機内モニタ２００において、自モニタからの読書灯スイッチ操作を不可状態とすることを言う。
【００７７】
読書灯スイッチ実行８０７は、対応する子機リスト８０１で特定される機内モニタ２００の読書灯スイッチ操作を実行するためのボタンである。
【００７８】
［１−２−１  グルーピング（ステップＳ６０１）］
機内システム１は、機内システム１が搭載される航空機が運行を開始する前に起動される。サーバ装置１００のＣＰＵ１０２は、システム起動時に、ネットワークインターフェース１０１を介して航空会社の管理システム１０の搭乗者管理情報を取得する。すなわち、記憶部２１０は、搭乗者管理情報を記憶する。そして、ＣＰＵ１０２は、その情報をもとに機内の全座席の機内モニタ２００に対してグルーピングを実行する。
【００７９】
ここでのグルーピングとは、同一家族のメンバーの座席が同一グループとなるように、各座席に対応する機内モニタ２００をグループ分けすることを言う。
【００８０】
ＣＰＵ１０２は、グルーピングした結果をデータストレージ１０４に第一管理情報として格納する。
【００８１】
図９は、第１管理情報の一例である第１管理情報９００のデータ構成図である。
【００８２】
同図に示されるように、第１管理情報９００は、座席番号９０１と、グループ番号９０２と、親機フラグ９０３と、推定年齢９０４と、管理対象座席番号９０５と、画面操作ロックフラグ９０６と、ＣＡコールロックフラグ９０７と、読書灯スイッチロックフラグ９０８とが対応付けられて構成される。
【００８３】
座席番号９０１は、対象となる機内モニタ２００に対応する座席番号である。
【００８４】
グループ番号９０２は、対象となる機内モニタ２００が分類されているグループのグループ番号である。
【００８５】
親機フラグ９０３は、対象となる機内モニタ２００が親機と判定されたか否かを示すフラグである。
【００８６】
推定年齢９０４は、対象となる機内モニタ２００を利用する利用者の推定される年齢である。
【００８７】
管理対象座席番号９０５は、対象となる機内モニタ２００が親機と判定された場合における、その機内モニタ２００と同じグループ番号に分類された機内モニタ２００のうち、子機と判定された（すなわち、親機と判定されなかった）機内モニタ２００に対応する座席の座席番号である。
【００８８】
画面操作ロックフラグ９０６は、対象となる機内モニタ２００が、画面操作をロックされるか否かを示すフラグである。
【００８９】
ＣＡコールロックフラグ９０７は、対象となる機内モニタ２００が、ＣＡコール操作をロックさるか否かを示すフラグである。
【００９０】
読書灯スイッチロックフラグ９０８は、対象となる機内モニタ２００が、読書灯スイッチをロックされるか否かを示すフラグである。
【００９１】
本ステップ（ステップＳ６０１）では、親機フラグ９０３、推定年齢９０４、管理対象座席番号９０５、画面操作ロックフラグ９０６、ＣＡコールロックフラグ９０７、読書灯スイッチロックフラグ９０８に関しては、初期値が設定されるものとする。
【００９２】
［１−２−２  推定年齢パラメータ送信（ステップＳ６０２）］
サーバ装置１００における、システム起動時のグルーピングが終了すると、機内システム１は、ステップＳ６０２〜ステップＳ６０４の処理を所定期間Ｔ１毎に（例えば１秒毎に）繰り返し実行する。
【００９３】
機内モニタ２００のＣＰＵ２０２は、機内システム１が起動されるとカメラモジュール２０５に画像データ要求信号を毎秒間隔で定期的に発信する。すると、カメラモジュール２０５は撮影動作を行い、生成した画像データをメモリ２０３に記憶する。すなわち、撮影部２４０は、対応する座席に着席している利用者を撮影して、画像データを生成する。
【００９４】
ＣＰＵ２０２はメモリ２０３に記憶された画像データから、画像データに含まれる人物の顔領域を特定し、特定した顔から推定年齢を算出し、算出した推定年齢を示す推定年齢パラメータを生成する。ＣＰＵ２０２は、推定年齢パラメータを、ネットワークインターフェース２０１を介して、サーバ装置１００に送信する。
【００９５】
［１−２−３  親機／子機判定（ステップＳ６０３）］
サーバ装置１００のＣＰＵ１０２は、機内モニタ２００から推定年齢パラメータを受信すると、データストレージ１０４に記憶されている第一管理情報を更新する。そして、ある機内モニタ２００から受信した推定年齢パラメータが示す推定年齢が所定の範囲内（例えば、２０歳以上７０歳以下）であれば、その機内モニタ２００を親機と判定する。また、その推定年齢が所定の範囲内でなければ、その機内モニタ２００を子機と判定する。すなわち、分類部２２０は、同一グループに含まれる機内モニタ２００（この例では、同一家族のメンバーの座席に対応する機内モニタ２００）を、第１グループ（この例では、親機と判定された機内モニタ２００からなる親機グループ）と第２グループ（この例では、子機と判定された機内モニタ２００からなる子機グループ）とに分類する。より具体的には、分類の対象とする機内モニタ２００に対応する推定年齢が所定範囲内であれば、第１グループ（親機グループ）に分類し、その推定年齢が所定範囲内でなければ、第２グループ（子機グループ）に分類する。
【００９６】
そして、サーバ装置１００のＣＰＵ１０２は、親機と判定した機内モニタ２００に対応する親機フラグ９０３を１に更新し、子機と判定した機内モニタ２００に対応する親機フラグ９０３を０に更新する。すなわち、設定部２３０は、第１グループ（この例では、親機グループ）に分類された第１種端末（この例では、機内モニタ２００）が、第２グループ（この例では、子機グループ）に分類された第２種端末（この例では、機内モニタ２００）に対して制御が可能となるように、第１種端末と第２種端末とに係る設定を行う。
【００９７】
上記設定後に、サーバ装置１００のＣＰＵ１０２は、ネットワークインターフェース１０１を介して、各機内モニタ２００に判定メッセージを返信する。
【００９８】
図１０は、判定メッセージの一例である判定メッセージ１０００のデータ構成図である。
【００９９】
同図に示されるように、判定メッセージ１０００は、親機フラグ１００３と、管理対象座席番号１００５と、画面操作ロックフラグ１００６と、ＣＡコールロックフラグ１００７と、読書灯スイッチロックフラグ１００８とが対応付けられて構成される。
【０１００】
［１−２−４  判定メッセージ受信（ステップＳ６０４）］
機内モニタ２００のＣＰＵ２０２は、ネットワークインターフェース２０１を介して、サーバ装置１００から判定メッセージを受信すると、そのパラメータに従って、管理者メニューの表示／非表示の処理を実行する。具体的には、親機フラグが１の場合は、図８の管理者メニュー８００を表示する。管理者メニュー８００は、常に表示しておく必要はないため、全体メニューのひとつの項目として追加するようにすればよい。親機フラグが０の場合は、管理者メニュー８００を非表示にする。
【０１０１】
以上の動作により、各機内モニタ２００は、サーバ装置１００によって親機または子機に設定される。各機内モニタ２００は、設定に応じて親機または子機として動作する。以下、これらの動作について説明する。
【０１０２】
［１−２−５  リモート画面操作（親機）］
機内モニタ２００が親機である場合は、管理者メニュー８００から、子機リスト８０１に表示されている子機の各機能を制御できる。
【０１０３】
まずは、リモート８０２の操作について説明する。
【０１０４】
管理者メニュー８００のリモート８０２の開始ボタンが押されると、その管理者メニュー８００を表示する機内モニタ２００のＣＰＵ２０２は、リモート開始要求をサーバ装置１００に送信する。リモート開始要求は、リモート対象子機である機内モニタ２００の座席番号を含む。サーバ装置１００のＣＰＵ１０２はリモート開始要求を受信すると、親機とリモート対象子機との対を第２管理情報としてメモリ１０３またはデータストレージ１０４に記憶する。ＣＰＵ１０２は、第２管理情報をもとに、子機の機内モニタ２００に画面提供メッセージを送信する。機内モニタ２００のＣＰＵ２０２は、画面提供メッセージを受信すると、ディスプレイ２０６の表示データのサーバ装置１００へのリアルタイム送信を開始する。サーバ装置１００のＣＰＵ１０２は、受信した画面表示データを第２管理情報に従って親機へリアルタイムに転送する。画面表示データを受信した親機は、画面表示データを子機の画面としてディスプレイ２０６に表示する。乗客は、親機のディスプレイ２０６に表示された子機の画面を、親機のタッチパネル２０４を使用して操作することができる。
【０１０５】
親機でリモート画面を終了すると、ＣＰＵ２０２は終了通知をサーバ装置１００に送信する。サーバ装置１００のＣＰＵ１０２は終了通知を受信すると、第２管理情報から対象の対（親機／リモート対象子機）を削除し、対象子機にリモート画面終了メッセージを送信する。子機は、リモート画面終了メッセージを受信すると、ディスプレイ２０６の表示データのリアルタイム送信をやめる。
【０１０６】
［１−２−６  機能ロック（親機）］
次に、管理者メニュー８００の機能ロック（画面操作ロック８０３、ＣＡコールロック８０４、読書灯スイッチロック８０６）について説明する。管理者メニュー８００で、いずれかの機能ロックが有効にされると、ＣＰＵ２０２はロック制御メッセージをサーバ装置１００に送信する。
【０１０７】
図１１は、ロック制御メッセージの一例であるロック制御メッセージ１１００のデータ構成図である。
【０１０８】
同図に示されるように、ロック制御メッセージ１１００は、子機座席番号１１０１と、画面操作ロックフラグ１１０２と、ＣＡコールロックフラグ１１０３と、読書灯スイッチ１１０４ロックフラグとが対応付けられて構成される。
【０１０９】
サーバ装置１００のＣＰＵ１０２は、ロック制御メッセージを受信すると、子機座席番号に対応する機内モニタ２００に対して、ロック実行メッセージを送信する。子機の機内モニタ２００のＣＰＵ２０２は、ロック実行メッセージを受信すると、各ロックフラグに従って、それぞれ、タッチパネル２０４のタッチ操作（自モニタの画面操作）、リモコン２０７のＣＡコールボタン押下操作（自モニタからのＣＡコール操作）、及び読書灯スイッチの切り替え操作（自モニタからの読書灯スイッチ操作）を受け付けないようにする。
【０１１０】
［１−２−７  コマンド実行（親機）］
次に、管理者メニュー８００のコマンド実行（ＣＡコール実行８０５、読書灯スイッチ実行８０７）について説明する。
【０１１１】
管理者メニュー８００のＣＡコール実行８０５の開始ボタンが押されると、その管理者メニュー８００を表示する機内モニタ２００のＣＰＵ２０２は、ＣＡコール実行要求をサーバ装置１００に送信する。ＣＡコール実行要求は、リモート対象子機である機内モニタ２００の座席番号を含む。サーバ装置１００のＣＰＵ１０２はＣＡコール実行要求を受信すると、そのＣＡコール実行要求を、リモート対象子機である機内モニタ２００に転送する。機内モニタ２００のＣＰＵ２０２は、ＣＡコール実行要求を受信すると、ＣＡコールを実行する。
【０１１２】
管理者メニュー８００の読書灯スイッチ実行８０７の開始ボタンが押されると、その管理者メニュー８００を表示する機内モニタ２００のＣＰＵ２０２は、読書灯スイッチ実行要求をサーバ装置１００に送信する。読書灯スイッチ実行要求は、リモート対象子機である機内モニタ２００の座席番号を含む。サーバ装置１００のＣＰＵ１０２は読書灯スイッチ実行要求を受信すると、その読書灯スイッチ実行要求を、リモート対象子機である機内モニタ２００に転送する。機内モニタ２００のＣＰＵ２０２は、読書灯スイッチ実行要求を受信すると、読書灯スイッチの切り替え（オン／オフの切り替え）を実行する。
【０１１３】
（他の実施の形態）
以上のように、本出願において開示する技術の例示として、上記実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。そこで、以下、他の実施の形態を例示する。
【０１１４】
（１）実施の形態において、ステップＳ６０１におけるグルーピングは、同一家族のメンバーの座席が同一グループとなるように、各座席に対応する機内モニタ２００をグループ分けすることであるとして説明した。しかしながら、ステップＳ６０１におけるグルーピングは、上記説明通りにグループ分けするグルーピングに限定される必要はない。例えば、同じツアーに参加している乗客を同一グループにグループ分けするといった、様々な手法によるグループ分けの例が考えられる。
【０１１５】
（２）実施の形態において、同一グループにグループ分けされた機内モニタ２００に、複数の親機が存在する場合には、それら親機において、管理者メニュー８００を同期させるとしても構わない。
【０１１６】
（３）実施の形態において、機内システム１は、親機の機内モニタ２００による、子機の機内モニタ２００におけるＣＡコール操作のロックと、親機の機内モニタ２００による、子機の機内モニタ２００のＣＡコール実行とを、互いに独立に操作可能とする構成であるとして説明した。これに対して、他の一例として、機内システム１は、親機の機内モニタ２００によって、子機の機内モニタ２００におけるＣＡコール操作がロックされている場合に限って、その親機の機内モニタ２００による、子機の機内モニタ２００のＣＡコール実行を操作可能とする構成の例も考えられる。
【０１１７】
また、実施の形態において、機内システム１は、親機の機内モニタ２００による、子機の機内モニタ２００における読書灯スイッチ操作のロックと、親機の機内モニタ２００による、子機の機内モニタ２００の読書灯スイッチ操作の実行とを、互いに独立に操作可能とする構成であるとして説明した。これに対して、他の一例として、機内システム１は、親機の機内モニタ２００によって、子機の機内モニタ２００における読書灯スイッチ操作がロックされている場合に限って、その親機の機内モニタ２００による、子機の機内モニタ２００の読書灯スイッチ操作を可能とする構成の例も考えられる。
【０１１８】
（４）実施の形態において、ステップＳ６０３における親機／子機判定は、ＣＰＵ１０２によって受信された推定年齢パラメータの示す推定年齢が所定範囲内でなければ、判定対象とする機内モニタ２００が子機と判定されるとして説明した。これに対して別の一例として、判定対象となる機内モニタ２００が、前回親機と判定された機内モニタ２００である場合には、ＣＰＵ１０２によって受信された推定年齢パラメータの示す推定年齢がＮ（Ｎは２以上の整数。例えば、Ｎは１０。）回連続で所定範囲でないときに限って、判定対象とする機内モニタ２００が子機と判定される例も考えられる。
【０１１９】
（５）実施の形態において、ステップＳ６０４の処理が終了した場合には、再びステップＳ６０２の処理に戻って、ステップＳ６０２〜ステップＳ６０４の処理が繰り返し実行されるとして説明した。これに対して別の一例として、ステップＳ６０４の処理が終了した場合には、再びステップＳ６０１の処理に戻って、ステップＳ６０１〜ステップＳ６０４の処理が繰り返し実行される例も考えられる。この例は、機内システム１において、適宜搭乗者管理情報が更新され得る場合（例えば、航空機の運行中において、乗客の座席変更があったときには、その都度、ＣＡがその座席変更の情報を搭乗者管理情報に反映させるような場合）に特に有用である。
【０１２０】
（６）実施の形態において、機内モニタ２００のＣＰＵ２０２は、カメラモジュール２０５によって生成され、メモリ２０３に記憶される画像データから、画像データに含まれる人物の顔領域を特定し、特定した顔から推定年齢を算出し、算出した推定年齢を示す推定年齢パラメータを生成するとして説明した。そして、サーバ装置１００のＣＰＵ１０２は、ある機内モニタ２００から受信した推定年齢パラメータが示す推定年齢が所定の範囲内であれば、その機内モニタ２００を親機と判定し、所定の範囲内でなければ、その機内モニタ２００を子機と判定するとして説明した。
【０１２１】
これに対して、他の一例として、ＣＰＵ２０２は、画像データに含まれる人物の顔領域を特定することが困難な場合（例えば、人物が横を向いている場合、人物が席を外している場合等が該当する。）には、顔を認識できなかった旨を示す推定年齢パラメータを生成し、ＣＰＵ１０２は、受信した推定年齢パラメータが、顔を認識できなかった旨を示す場合に、その機内モニタ２００を、親機にならないように判定する例等も考えられる。この場合において、親機にならないと判定する例としては、例えば、子機と判定する例、親機でも子機でもなく、例えば、親機グループと子機グループとのどちらにも含まれない管理対象外グループに分類される管理対象外機であると判定する例等が考えられる。
【０１２２】
（７）実施の形態において、機内システム１は、ある親機に対応する子機が複数存在する場合には、ユーザによるその親機への操作によって、それら子機に対してなされている各種設定を、それら子機同士で入れ替えることを可能とする機能を有している例も考えられる。
【０１２３】
この例は、機内システム１において、子機を利用する人物同士が、席を交換するような場合に特に有用である。
【０１２４】
（８）実施の形態において、ユーザからの操作の入力を受け付けるデバイスは、必ずしもタッチパネル２０４でなくてもよい。例えば、タッチパネル２０４に替えて、リモートコントローラ、キーボード、マウス等といったデバイスであってもよい。
【０１２５】
（９）実施の形態において、機内システム１は、必ずしも航空機に設けられる必要はない。例えば、電車、バスといった輸送機器に設けられる例も考えられる。更には、例えば、学校の教室等といった、輸送機器以外の設備に設けられる例も考えられる。
【産業上の利用可能性】
【０１２６】
本開示は、端末を利用するシステムに広く利用可能である。
【符号の説明】
【０１２７】
１  機内システム
１０、１００  サーバ装置
１０１、２０１  ネットワークインターフェース
１０２、２０２  ＣＰＵ
１０３、２０３  メモリ
２００、２００Ａ、２００Ｂ、２００Ｃ、２００Ｄ、２００Ｅ、２００Ｆ  機内モニタ
２０４、２０４Ａ、２０４Ｂ、２０４Ｃ、２０４Ｄ、２０４Ｅ、２０４Ｆ  タッチパネル
２０５、２０５Ａ、２０５Ｂ、２０５Ｃ、２０５Ｄ、２０５Ｅ、２０５Ｆ  カメラモジュール
２１０  記憶部
２２０  分類部
２３０  設定部
２４０、２４０Ａ、２４０Ｂ、２４０Ｆ  撮影部
【図１】
2018146784.tif 000003
【図２】
2018146784.tif 000004
【図３】
2018146784.tif 000005
【図４】
2018146784.tif 000006
【図５】
2018146784.tif 000007
【図６】
2018146784.tif 000008
【図７】
2018146784.tif 000009
【図８】
2018146784.tif 000010
【図９】
2018146784.tif 000011
【図１０】
2018146784.tif 000012
【図１１】
2018146784.tif 000013
【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
複数の端末と、前記複数の端末を制御する制御装置とからなる端末制御システムであって、
前記複数の端末は、
端末の利用者を撮影して画像データを生成する撮影部を備え、
前記制御装置は、
前記複数の端末に対するグループ分けを示すグループ情報を記憶する記憶部と、
前記複数の端末のうち、前記グループ情報が示す同一グループに含まれる端末の撮影部によって生成された画像データに基づいて、前記同一グループに含まれる前記端末を、第１グループと第２グループとに分類する分類部と、
前記第１グループに分類された第１種端末が、前記第２グループに分類された第２種端末に対して制御が可能となるように、当該第１種端末と当該第２種端末とに係る設定を行う設定部とを備える
端末制御システム。
【請求項２】
前記分類部は、前記同一グループに含まれる端末の撮影部によって撮影された画像データに基づいて、当該端末の利用者の年齢を推定し、当該年齢が所定の範囲内であれば、当該端末を前記第１グループに分類し、当該年齢が前記所定の範囲内でなければ、当該端末を前記第２グループに分類する
請求項１に記載の端末制御システム。
【請求項３】
前記設定部は、前記第１種端末に分類された端末に対して、自端末が前記第１種端末である旨を通知するように、前記設定を行う
請求項１又は２に記載の端末制御システム。
【請求項４】
前記設定部は、前記第１種端末が、前記第２種端末の有する機能のうちの少なくとも一部の機能をリモート操作することが可能となるように前記設定を行う
請求項１〜３のいずれか１項に記載の端末制御システム。
【請求項５】
前記設定部は、前記第１種端末が、前記第２種端末の有する機能のうちの少なくとも一部の機能を制限することが可能となるように前記設定を行う
請求項１〜４のいずれか１項に記載の端末制御システム。
【請求項６】
前記複数の端末は、輸送機器に配置された複数の座席に対応付けられて、当該輸送機器の内部に配置されている
請求項１〜５のいずれか１項に記載の端末制御システム。
【請求項７】
撮影部を備えた複数の端末を制御する制御装置であって、
前記複数の端末に対するグループ分けを示すグループ情報を記憶する記憶部と、
前記複数の端末のうち、前記グループ情報が示す同一グループに含まれる端末の撮影部によって生成された画像データに基づいて、前記同一グループに含まれる前記端末を第１グループと第２グループとに分類する分類部と、
前記第１グループに分類された第１種端末が、前記第２グループに分類された第２種端末に対して制御が可能となるように、当該第１種端末と当該第２種端末とに係る設定を行う設定部とを備える
制御装置。
【請求項８】
前記分類部は、前記同一グループに含まれる端末の撮影部によって撮影された画像データに基づいて、当該端末の利用者の年齢を推定し、当該年齢が所定の範囲内であれば、当該端末を前記第１グループに分類し、当該年齢が前記所定の範囲内でなければ、当該端末を前記第２グループに分類する
請求項７に記載の制御装置。
【請求項９】
前記設定部は、前記第１種端末に分類された端末に対して、自端末が前記第１種端末である旨を通知するように、前記設定を行う
請求項７に記載の制御装置。
【請求項１０】
前記設定部は、前記第１種端末が、前記第２種端末の有する機能のうちの少なくとも一部の機能をリモート操作することが可能となるように前記設定を行う
請求項７に記載の制御装置。
【請求項１１】
前記設定部は、前記第１種端末が、前記第２種端末の有する機能のうちの少なくとも一部の機能を制限することが可能となるように前記設定を行う
請求項７に記載の制御装置。
【請求項１２】
撮影部を備えた複数の端末を制御する端末制御方法であって、
前記複数の端末に対するグループ分けを示すグループ情報を記憶するステップと、
前記複数の端末のうち、前記グループ情報が示す同一グループに含まれる端末の撮影部によって生成された画像データに基づいて、前記同一グループに含まれる前記端末を第１グループと第２グループとに分類するステップと、
前記第１グループに分類された第１種端末が、前記第２グループに分類された第２種端末に対して制御が可能となるように、当該第１種端末と当該第２種端末とに係る設定を行うステップとを備える
端末制御方法。
【国際調査報告】
2018146784.tif 000014
2018146784.tif 000015